(57)【特許請求の範囲】
【請求項１】
下面が開放する断熱性の冷却箱内に冷却器及び冷却器用送風機を設置し、この冷却箱を、断熱箱体の天井に形成した天井部開口を塞ぐかたちで当該断熱箱体の天面に設置して成る冷却貯蔵庫において、
前記天井部開口の四隅に立設される支柱と、隣接する前記支柱の上端に渡って設けられ、前記冷却器を支持する上部支持具と、該上部支持具と直交する方向で隣接する前記支柱の下端間に渡って固定される下部取付具と、該下部取付具間に渡って取り付けられ、前記冷却器へのダクトを構成するダクト部材を固定するためのダクト固定具とを備え、
前記冷却箱は、これら支柱及び上部支持具の上方から被せることを特徴とする冷却貯蔵庫。
【請求項２】
前記一方の下部取付具には、前記ダクト固定具の一端が係合する係合部が形成され、前記ダクト固定具の他端は、前記他方の下部取付具にネジ止めされることを特徴とする請求項１の冷却貯蔵庫。
【請求項３】
冷却器の吸込側に位置する前記下部取付具には、庫内温度を検出するための温度センサが設けられるセンサ取付部が設けられることを特徴とする請求項１又は請求項２の冷却貯蔵庫。
【発明の詳細な説明】
【０００１】
【発明の属する技術分野】
本発明は、下面が開放する断熱性の冷却箱内に冷却器及び冷却器用送風機を設置し、この冷却箱を、断熱箱体の天井に形成した天井部開口を塞ぐかたちで当該断熱箱体の天面に設置して成る冷却貯蔵庫に関するものである。
【０００２】
【従来の技術】
従来よりこの種冷却貯蔵庫は、プレハブ低温庫（冷凍・冷蔵庫）や業務用冷却貯蔵庫であり、断熱板によって構成されるユニットベース上に圧縮機、凝縮器及び断熱性の冷却箱などにより構成される冷却ユニットを設け、断熱箱体によって構成される冷却貯蔵庫の天井面に開口が形成されており、係る開口を塞ぐ形でユニットベースが載置されている。そして、この冷却ユニットによって断熱箱体内に形成された貯蔵室内を冷却している。
【０００３】
従来、冷却貯蔵庫の天井面に形成される開口の開口縁四隅には、上下に延出して形成される支柱が立設され、これら支柱の隣接する支柱の上端、即ち、一側方に位置する支柱４０の上端から他方に位置する支柱の上端に渡って上部支持具がそれぞれ前後に取り付けられる。この上部支持具には、前記冷却器が取り付けられる。そして、これら支柱及び上部支持具の上方から冷却箱が被される構造とされていた。
【０００４】
【発明が解決しようとする課題】
そのため、冷却箱は、開口縁に設けられる支柱及び支柱上方に渡って設けられる上部支持具によってのみ、支持されていたため、冷却箱の固定が不十分であった。冷却箱の固定を十分に行うために、支柱及び支柱支持具の板厚を増加させるなどが考えられていたが、冷却箱の支持を十分に行うことができないという問題があった。
【０００５】
そこで、本発明は、従来の技術的課題を解決するために成されたものであり、強固に冷却箱を支持することができる冷却貯蔵庫を提供することを目的とする。
【０００６】
【課題を解決するための手段】
本発明の冷却貯蔵庫は、下面が開放する断熱性の冷却箱内に冷却器及び冷却器用送風機を設置し、この冷却箱を、断熱箱体の天井に形成した天井部開口を塞ぐかたちで当該断熱箱体の天面に設置して成るものであって、天井部開口の四隅に立設される支柱と、隣接する支柱の上端に渡って設けられ、冷却器を支持する上部支持具と、該上部支持具と直交する方向で隣接する支柱の下端間に渡って固定される下部取付具と、該下部取付具間に渡って取り付けられ、冷却器へのダクトを構成するダクト部材を固定するためのダクト固定具とを備え、冷却箱は、これら支柱及び上部支持具の上方から被せることを特徴とする。
【０００７】
本発明によれば、下面が開放する断熱性の冷却箱内に冷却器及び冷却器用送風機を設置し、この冷却箱を、断熱箱体の天井に形成した天井部開口を塞ぐかたちで当該断熱箱体の天面に設置して成るものであって、天井部開口の四隅に立設される支柱と、隣接する支柱の上端に渡って設けられ、冷却器を支持する上部支持具と、該上部支持具と直交する方向で隣接する支柱の下端間に渡って固定される下部取付具と、該下部取付具間に渡って取り付けられ、冷却器へのダクトを構成するダクト部材を固定するためのダクト固定具とを備え、冷却箱は、これら支柱及び上部支持具の上方から被せるので、支柱と、上部支持具と、下部取付具と、ダクト固定具とにより、強固に冷却箱を支持することができるようになる。これにより、特に支柱等の支持具の板厚等を増加させることなく、十分に冷却箱を支持することができるようになる。
【０００８】
請求項２の発明の冷却貯蔵庫は、請求項１の発明に加えて、一方の下部取付具には、ダクト固定具の一端が係合する係合部が形成され、ダクト固定具の他端は、他方の下部取付具にネジ止めされることを特徴とする。
【０００９】
請求項２の発明によれば、請求項１の発明に加えて、一方の下部取付具には、ダクト固定具の一端が係合する係合部が形成され、ダクト固定具の他端は、他方の下部取付具にネジ止めされるので、下部取付具をダクト固定具に固定する際に、容易にダクト固定具の位置決めを行うことができ、組立作業性を向上させることができるようになる。
【００１０】
請求項３の発明の冷却貯蔵庫は、請求項１又は請求項２の発明に加えて、冷却器の吸込側に位置する下部取付具には、庫内温度を検出するための温度センサが設けられるセンサ取付部が設けられることを特徴とする。
【００１１】
請求項３の発明によれば、請求項１又は請求項２の発明に加えて、冷却器の吸込側に位置する下部取付具には、庫内温度を検出するための温度センサが設けられるセンサ取付部が設けられるため、容易に温度センサの取付を行うことができるようになる。
【００１２】
【発明の実施の形態】
以下、図面に基づき本発明の実施例を詳述する。図１は本発明の実施例のプレハブ冷蔵庫等の冷却貯蔵庫１の正面図を示している。この冷却貯蔵庫１は、断熱箱体２によって構成されており、この断熱箱体２内には、貯蔵室３が構成されいている。この断熱箱体２は隣り合うパネルとの結合部分に凸部或いは凹部を有した断熱パネル４を組み合わせて箱状に構成されている。
【００１３】
また、断熱箱体２の前壁には貯蔵食品等の物品を出し入れする物品出入口及びこの物品出入口の一側を回動自在に枢支し開閉自在に閉塞すると共に、貯蔵室３を密閉化する断熱扉５が設けられている。
【００１４】
そして、断熱箱体２の天壁（天井面）２Ａの後部には矩形状の開口６が形成されており、この開口６を上から閉塞する形で断熱板にて構成されるユニットベース７が取り付けられる。このユニットベース７上には、図２及び図３に示す如く冷却装置Ｒを構成する圧縮機８、凝縮器９及び凝縮機用送風機１０が設置されると共に、電装箱１１及び断熱部材によって構成される冷却箱１２が設置されている。尚、図１では圧縮機８、凝縮器９、凝縮器用送風機１０及び電装箱１１は省略している。そして、このユニットベース７には、冷却箱１２が設置される位置に、前記冷却貯蔵庫の天壁２Ａに形成された開口６よりも少許大きい開口１６が形成されている。また、ユニットベース７の両端には、ハンドル１３、１３が設けられている。
【００１５】
ここで、図４乃至図１０を参照して、前記冷却箱１２の保持構造について説明する。図４は冷却貯蔵庫上部の縦断正面図、図５は冷却箱１２の保持構造の分解斜視図、図６は図５の部分拡大図、図７は同じく図５の部分拡大図、図８は冷気ダクトパネル２１を含む分解斜視図、図９は冷却貯蔵庫上部の部分拡大断面図、図１０は同じく冷却貯蔵庫上部の部分拡大断面図である。前記冷却貯蔵庫１の天壁２Ａに形成された開口６の開口縁６Ａの四隅には、図５に示す如き支柱４０が立設される。この支柱４０は、上下に延出して形成される板状部材であり、上下に渡って内方に略直角に折曲される。また、支柱４０の下端は、外方に向けて略直角に折曲されたフランジ４０Ａが形成され、このフランジ４０Ａの端部は、更に上方に略直角に折曲された後、外方に向けて略直角に折曲される取付部４０Ｂが形成される。
【００１６】
そして、図４に示す如くこれら支柱４０の隣接する支柱４０の上端、即ち、本実施例では正面から見て左側に位置する支柱４０の上端から右側に位置する支柱４０の上端に渡って上部支持具４１がそれぞれ前後に取り付けられる。この上部支持具４１には、前記冷却器１４が取り付けられる。
【００１７】
また、前記冷却器１４の下方には、該冷却器１４から滴下されるドレン水を排出するためのドレンパン３２が設けられ、ドレンパン３２の一端は、冷却器１４の側方に固定される。そして、ドレンパン３２の他端は、上方に略直角に折曲された後、更に、側方に向けて折曲された送風機固定部３３が形成され、前記支柱４０に固定される。該送風機固定部３３には、下方に冷気を吐出する冷却機用送風機１５が設けられる。
【００１８】
更に、冷却器１４の冷媒の出口側に位置する冷媒配管１４Ａは、図４に示す如く斜め上方に傾斜する傾斜部１４Ｂが形成され、この傾斜部１４Ｂには、霜取り用の復帰温度センサ４６が断面略コ字状又は筒状の取付具４７にて、吸込側に位置する開口６から着脱自在に取り付けられる。これにより、特に前記ドレンパン３２又は冷却器１４を取り外すことなく、復帰温度センサ４６の取付及びメンテナンス作業を行うことができる。
【００１９】
また、上部支持具４１と直交する方向で隣接する支柱４０の下端、即ち、本実施例では正面から見て前側に位置する支柱４０の下端から後側に位置する支柱４０の下端に渡って下部取付具４２がそれぞれ左右に取り付けられる（図５参照）。この下部取付具４２の前部及び後部には、対向する下部取付具４２に渡ってダクト固定具４３が取り付けられる（図８参照）。
【００２０】
ダクト固定具４３の中央部の上面には、冷却箱１２内を冷気吸込側と冷気吐出側とに区画するための仕切板２８が下部取付具４２と平行に設けられる。このダクト固定具４３の下面には、仕切板２８の下端から吸込側に延出する吸込側仕切板５０が同じく下部取付具４２と平行に形成され、この吸込側仕切板５０の端部には、外側下方に傾斜した傾斜板２９が形成される。
【００２１】
ここで、図６及び図７を参照して、ダクト固定具４３の取付構造について説明する。一方の下部取付具４２の前部には、ダクト固定具４３を係合するための係合スリット４２Ａが上下に複数、本実施例では２つ形成されると共に、他方の下部取付具４２の前部には、それぞれダクト固定具４３をネジ止めにより固定するためのネジ孔４２Ｂが上下に複数、本実施例では２つ形成される。また、同じく一方の下部取付具４２の後部には、それぞれダクト固定具４３をネジ止めにより固定するためのネジ孔４２Ｂが上下に複数、本実施例では２つ形成されると共に、他方の下部取付具４２の後部には、ダクト固定具４３を係合するための係合スリット４２Ａが上下に複数、本実施例では２つ形成される。
【００２２】
他方、ダクト固定具４３の端部は、それぞれ上方に向けて折曲された傾斜部４３Ａが形成されると共に、傾斜部４３Ａの上端は、外方に向けて水平に折曲された係合部４３Ｂが形成されている。また、傾斜部４３Ａの上部には、前記下部取付具４２とネジ止めにより固定するためのネジ孔４３Ｃが形成される。
【００２３】
これにより、下部取付具４２にダクト固定具４３を取り付ける場合には、ダクト固定具４３の一端を一方の下部取付具４２の係合スリット４２Ａに挿入した後、ダクト固定具４３の他端に形成されるネジ孔４３Ｃを他方の下部取付具４２に形成されるネジ孔４２Ｂと合致させ、ネジ止めにより固定する。これにより、ダクト固定具４３を下部取付具４２に容易に取り付けることができるようになり、組立作業性を向上させることができるようになる。また、ネジ止めにより強固に固定することができるようになる。
【００２４】
また、下部取付具４２には、上述の如く上下に複数の係合スリット４２Ａ及びネジ孔４２Ｂが形成されているため、断熱箱体２を構成する断熱パネルの厚さ寸法によってダクト固定具４３の位置を変更することができるようになる。このため、ダクト固定具４３に固定される詳細は後述する冷気ダクトパネル２１の位置を仕様に応じて容易に決定することができると共に、冷気漏れによる不都合を未然に回避することができるようになる。
【００２５】
上述の構造により冷却箱１２の保持構造が構成され、図４に示す如く支柱４０及び上部支持具４１の上方より前記冷却箱１２を被せることにより、冷却箱１２が保持されると共に、冷却箱１２の下面開口は、貯蔵室３内と連通される。また、冷却箱１２の開口縁には、ユニットベース７の開口１６縁に取り付けるための切欠が形成されており、冷却箱１２は、ユニットベース７の開口縁１６Ａに略きっちりと嵌め込むまれる。そして、冷却箱１２の上辺、下辺及び側辺をそれぞれ支柱４０と、上部支持具４１と、下部取付具４２と、ダクト固定具４３とにより、支持することができるようになり、冷却箱１２を強固に固定することができるようになる。そのため、特に支柱４０等の支持具の板厚等を増加させることなく、十分に冷却箱１２を支持することができるようになる。
【００２６】
また、前記冷却器１４側に位置する前記下部取付具４２には、図５に示す如き上方に突出されるセンサ取付部４４が形成されている。このセンサ取付部４４には、貯蔵室３内の温度と近似される冷却箱１２内の温度を検出する温度センサ４５が取り付けられる。そのため、温度センサ４５によって検出される温度は、貯蔵室３内の温度として庫内の温度制御の際に参酌される。
【００２７】
これにより、冷却器１４の影響を受けない温度を検知することができる温度センサ４５を容易に取り付けることができるようになり、組み立て作業の効率を向上させることができるようになる。
【００２８】
一方、貯蔵室３側の断熱箱体２の天壁２Ａには、図１１に示す如き冷気ダクトパネル２１が設けられている。この冷気ダクトパネル２１は外形寸法が前記天壁２Ａに形成された開口６よりも一回り大きい寸法とされる矩形状を呈しており、上面は前記冷却箱１２内と連通するために上方に開放されている。そして、この冷気ダクトパネル２１の外縁部を形成する三辺には、冷気吐出口２２、２３、２４がそれぞれ形成されていると共に、残りの外縁部を形成する一辺には、冷気吸込口２５が形成されている。更に、この冷気ダクトパネル２１は、下面中央部には、四隅が所定曲率で湾曲した矩形状を呈する中央部冷気吸込口２６が形成されており、これにより、冷気ダクトパネル２１の下面は下面フランジ部２７とされる。
【００２９】
また、冷気ダクトパネル２１の下面フランジ部２７の四隅部には、冷却器１４の吸込側に連通する隅部冷気吸込口５１が本実施例では複数形成されている。
【００３０】
これらの冷気吐出口２２、２３、２４及び冷気吸込口２５の上縁は、冷気ダクトパネル２１が前記開口６よりも一回り大きい寸法に形成されていることから、それぞれ開口６よりも外側に位置して設けられている。また、この冷気ダクトパネル２１は、下面フランジ部２７から上端にかけて外方に向けて上昇する立上辺２７Ａが形成されており、それぞれの冷気吐出口２２、２３、２４及び冷気吸込口２５は、少許斜め下方に向けて又は、斜め下方から冷気の吐出・吸込を行なわれる。
【００３１】
また、冷気吐出口２２、２３、２４及び冷気吸込口２５の下縁に位置する立上辺２７Ａは、該立上辺２７Ａの上端から内方に向かう内向辺２７Ｂが形成されている。これにより、立上辺２７Ａと内向辺２７Ｂとの間に隅角部２７Ｃが形成される。
【００３２】
ここで、図１２を参照して冷気ダクトパネル２１の内部構造を説明する。図１２は冷却貯蔵庫１上部の正面図を示している。冷気ダクトパネル２１の上部には、冷気ダクトパネル２１内を上下に区画するダクト部材としての仕切板３７が設けられている。尚、この仕切板３７の下面には、図１８に示す如く、発砲断熱材により構成される断熱シート５８が貼付される。仕切板３７には、前記ダクト固定具４３に化粧ネジ５９により固定するためのネジ孔６０が例えば四隅に形成されている。
【００３３】
このとき、仕切板３７のネジ孔６０に位置する断熱シート５８には、ネジ孔６０よりも大きい寸法のネジ孔６１が形成されている。そして、このネジ孔６１には、該ネジ孔６１の内径と略きっちりの寸法の板状ゴム部材６２が挿入される。この板状ゴム部材６２には、前記仕切板３７に形成されるネジ孔６０よりも少許大きい寸法のネジ孔６３が形成される。
【００３４】
これにより、仕切板３７をダクト固定具４３に取り付ける際に、ネジ孔６０とネジ孔６３を容易に合致させることができ、取付作業の効率を向上させることができる。
【００３５】
また、化粧ネジ５９を締め付けた際に、板状ゴム部材６２を使用しない場合は、断熱シート５８が変形する不都合が生じるが、板状ゴム部材６２を取り付けることにより、断熱シート５８の変形を未然に回避することができる。更にまた、板状ゴム部材６２を取り付けることにより、断熱シート５８のネジ孔６１から冷却箱１２内が露出されることを未然に回避することができるようになる。
【００３６】
また、この仕切板３７の外縁には、下方に傾斜する傾斜部３７Ａが形成され、この傾斜部３７Ａの端部は前記冷気吐出口２２、２３、２４及び冷気吸込口２５の下端、即ち、下面フランジ部２７の内向辺２７Ｂにネジ止めにより固定される。また、吸込側に位置する傾斜部３７Ａには、図８に示す如く冷却箱１２の吸込側と連通するための開口３７Ｂが形成される。そして、この開口３７Ｂの下縁には、上方に直立した案内板３７Ｃが一体に形成される。また、図１４に示す如く、中央側に位置する開口３７Ｂの縁部には、下方に渡って突出した後、更に吸込側に向かって折曲されるフィルタ保持部３７Ｄが形成される。
【００３７】
そして、フィルタ５４を冷気吸込ダクト２１下方からフィルタ保持部３７Ｄ及び案内板３７Ｃに着脱自在に保持する。これにより、フィルタ５４を冷却箱１２の吸込側に位置する開口３７Ｂに取り付けることができるようになり、庫内を循環する冷気を衛生的に保つことができるようになる。
【００３８】
また、フィルタ５４は、仕切板３７の開口３７Ｂ縁部に一体に形成される案内板３７Ｃにより固定を行うことができる。そのため、特別な取付具を必要とすることなく、部品点数の削減を行うことができるようになる。
【００３９】
更に、案内板３７Ｃ下方には、図１０に示す如く前記冷気吸込口２５及び隅部冷気吸込口５１から流入した冷気を前記冷却器１４の吸込側に案内する保持板５２が設けられている。この保持板５２は、前記下部取付具４２と平行に延在する板状部材であり、一端には、前記傾斜部３７Ａと平行に形成される取付面５２Ａが形成され、この取付面５２Ａの上端から内側下方に傾斜する本体５２Ｂが形成される。そして、この本体５２Ｂの端部は、内側上方に傾斜する係合部５２Ｃが形成される。
【００４０】
そして、保持板５２と対向する位置の仕切板３７の傾斜部３７Ａには、図９に示す如く後述する隠蔽板３０の隠蔽板固定具５３が取り付けられる。この隠蔽板固定具５３は、保持板５２と同様に前記下部取付具４２と平行に延在する板状部材であり、一端が、前記傾斜部３７Ａと平行に形成される取付面５３Ａが形成され、この取付面５３Ａの上端から内側下方に傾斜する本体５３Ｂが形成される。そして、この本体５３Ｂの端部は、外側下方に傾斜する傾斜面５３Ｃが形成される。尚、傾斜面５３Ｃには、予め化粧ネジ５５が取り付けられているものとする。
【００４１】
一方、冷気ダクトパネル２１の下部、即ち仕切板３７と冷気ダクトパネル２１の下面フランジ部２７との間には、前記中央部冷気吸込口２６の上方に位置して隠蔽板３０が設けられる。この隠蔽板３０は、四隅が所定曲率で湾曲した矩形状を呈する中央部冷気吸込口２６の最大幅より小さく、隣り合う湾曲部の隣接する終端間の寸法よりも大きい幅の矩形状に形成される。
【００４２】
これにより、容易に中央部冷気吸込口２６から隠蔽板３０を取り付けることができると共に、中央部冷気吸込口２６を十分に被覆することができるため、冷気ダクトパネル２１内が下方から見える不都合を回避することができ、外観の向上を図ることができるようになる。
【００４３】
ここで、隠蔽板３０の形状について図１３を参照して説明する。図１３は隠蔽板３０の斜視図である。隠蔽板３０は、板状部材により形成されており、外周縁は上方に略直角に折曲したフランジ３０Ａが形成される。一方の側方に位置するフランジ３０Ａには、冷気ダクトパネル２１に取り付けるための係支部として係支孔３０Ｂが２カ所に形成される。また、係る係支孔３０Ｂが形成される側方と対向する側方には、切欠３０Ｃが形成され、この切欠３０Ｃの下端から外側下方に傾斜する傾斜部３０Ｄが形成される。この傾斜部３０Ｄには、外縁から内方に切り込まれ、ネジに着脱可能に係合するための切欠３０Ｅが形成される。また、この傾斜部３０Ｄは、前記仕切板３７の傾斜面３７Ａに取り付けられる隠蔽板固定具５３の傾斜面５３Ｃと合致できる角度に形成されているものとする。
【００４４】
以上の構成により、図１４乃至図１７を参照して隠蔽板３０の取付方法について説明する。先ずはじめに、隠蔽板３０の係支孔３０Ｂが形成されている側を冷気ダクトパネル２１の中央部冷気吸込口２６下方から挿入し、隠蔽板３０に形成される係支孔３０Ｂ、３０Ｂに仕切板３７に取り付けられる保持板５２の係合部５３Ｃを挿入し係合させる（図１５）。その後、隠蔽板３０の傾斜部３０Ｄが形成されている側方を係支孔３０Ｂに係合部５３Ｃを係合させたまま、上方に移動させる（図１６）。そして、前記隠蔽板固定具５３に予め螺着される化粧ネジ５５の上方から隠蔽板３０の傾斜部３０Ｄに形成される切欠３０Ｅを挿入することにより、隠蔽板の取付けられる（図１７）。これにより、容易に隠蔽板３０を仕切板３７に固定することができるようになる。
【００４５】
また、この隠蔽板固定具５３の傾斜面５３Ｃ及び隠蔽板３０の傾斜部３０Ｄは、それぞれ外側下方に傾斜して形成されているため、傾斜面５３Ｃに螺着された化粧ネジ５５に隠蔽板３０の切欠３０Ｅを挿入することにより、隠蔽板３０の自重にて隠蔽板３０の切欠３０Ｅが前記化粧ネジ５５に係合され、化粧ネジ５５がゆるんだ状態であっても、隠蔽板３０が落下することを未然に防止することができるようになる。
【００４６】
以上の構成により、冷気ダクトパネル２１を天壁２Ａに形成された開口６取り付ける際には、仕切板３７に形成されるネジ孔５６と、ダクト固定具４３に予め形成される図示しないネジ孔を合致させ、ネジ止めにより固定する。
【００４７】
ここで、開口６下縁に当接する冷気ダクトパネル２１の下面フランジ部２７の上端には、断面略Ｌ字状の冷気案内板５７が設けられる。このとき、冷気案内板５７は、図９及び図１０に示される如く天壁２Ａと少許隙間を形成して取り付けられるため、少許冷気を外部に漏出され、係る冷気案内板５７近傍の空気の流通を図ることができるようになる。そのため、冷気案内板５７近傍の結露発生を防止することができる。また、この冷気案内板５７は、予め冷気ダクトパネル２１内部に設けられる取付板５８にネジ５９により固定される。このとき、ネジ５９を被覆するためのネジ保護具６０が冷気案内板５７の上端及び取付板５８の上端に取り付けられている。また、このネジ保護具６０及び冷気案内板５７により、冷気吐出口２２、２３、２４及び冷気吸込口２５を流通する冷気を整流することができるようになる。
【００４８】
尚、前記ダクト固定具４３の係合部４３Ｂ及びネジ孔４３Ｃの取付箇所を天壁２Ａの厚さに応じて前記下部取付具４２の係合スリット４２Ａ及びネジ孔４２Ｂの位置を変更することにより、冷気ダクトパネル２１の位置を容易に決定することができるようになる。
【００４９】
以上の構成により、前記冷却装置Ｒが運転されると冷却器１４によって冷却された冷気は、送風機１５によって仕切板３７の傾斜部３７Ａに沿って降下し、冷気吐出口２２、２３、２４から吐出される。
【００５０】
これにより、冷却器１４と熱交換した冷気は冷気吐出口２２、２３、２４から断熱箱体２の天壁２Ａに沿って吐出されるので、図１１に示す如く多方向に冷気を吐出することができ、貯蔵室３内の温度を均一にすることができる。
【００５１】
また、貯蔵室３内を循環した冷気は、冷気ダクトパネル２１の後端に形成された冷気吸込口２５、冷気ダクトパネル２１の下面に形成された中央部冷気吸込口２６及び隅部冷気吸込口５１から冷却箱１２内に帰還される。このとき、冷気吸込口２５から吸い込まれた冷気は、傾斜部３７Ａ及び仕切板３７に沿って冷却箱１２内に帰還される。また、中央部冷気吸込口２６から吸い込まれた冷気は、隠蔽板３０と下面フランジ部２６の間から侵入した後、隠蔽板３０の上面及び仕切板３７の下面に沿って冷却箱１２内に帰還される。
【００５２】
そして、隅部冷気吸込口５１から吸い込まれた冷気は、中央部冷気吸込口２６から吸い込まれた冷気と合流し、冷却箱１２内に帰還される。このとき、冷気ダクトパネル２１の下面フランジ部２７の隅部は、積極的に通風が行われるため、特に、外縁部冷気吐出口２２、２３、２４近傍の隅部における霜付き又は結露の発生を未然に回避することができるようになる。
【００５３】
また、隅部冷気吸込口５１は、吸込口であるため、比較的温度の高い冷気を隅部から吸い込むことができ、隅部自体の温度を結露し難い温度とすることにより、より一層結露の発生を防止することができるようになる。また、冷気吸込口が外縁部冷気吸込口２５に加えて補助的に隅部冷気吸込口５１にも形成されることにより、冷気取り入れ口が拡大され、冷却効率を向上させることができるようになる。
【００５４】
更にまた、冷気ダクトパネル２１は、隅部冷気吸込口５１が形成される面より外側に向けて上昇する立上辺２７Ａと、この立上辺２７Ａの上端から内方に向かう内向辺２７Ｂとを有し、立上辺２７Ａと内向辺２７Ｂとの間に隅角部を形成したので、隅角部に空気が滞留されることにより、空気層が形成され、隅部冷気吸込口５１近傍の冷気ダクトパネル２１に結露が発生することを未然に防止することができるようになる。
【００５５】
【発明の効果】
以上詳述した如く本発明によれば、下面が開放する断熱性の冷却箱内に冷却器及び冷却器用送風機を設置し、この冷却箱を、断熱箱体の天井に形成した天井部開口を塞ぐかたちで当該断熱箱体の天面に設置して成るものであって、天井部開口の四隅に立設される支柱と、隣接する支柱の上端に渡って設けられ、冷却器を支持する上部支持具と、該上部支持具と直交する方向で隣接する支柱の下端間に渡って固定される下部取付具と、該下部取付具間に渡って取り付けられ、冷却器へのダクトを構成するダクト部材を固定するためのダクト固定具とを備え、冷却箱は、これら支柱及び上部支持具の上方から被せるので、支柱と、上部支持具と、下部取付具と、ダクト固定具とにより、強固に冷却箱を支持することができるようになる。これにより、特に支柱等の支持具の板厚等を増加させることなく、十分に冷却箱を支持することができるようになる。
【００５６】
請求項２の発明によれば、請求項１の発明に加えて、一方の下部取付具には、ダクト固定具の一端が係合する係合部が形成され、ダクト固定具の他端は、他方の下部取付具にネジ止めされるので、下部取付具をダクト固定具に固定する際に、容易にダクト固定具の位置決めを行うことができ、組立作業性を向上させることができるようになる。
【００５７】
請求項３の発明によれば、請求項１又は請求項２の発明に加えて、冷却器の吸込側に位置する下部取付具には、庫内温度を検出するための温度センサが設けられるセンサ取付部が設けられるため、容易に温度センサの取付を行うことができるようになる。
【図面の簡単な説明】
【図１】本発明の冷却貯蔵庫の正面図である。
【図２】冷却装置の斜視図である。
【図３】冷却装置の平面図である。
【図４】冷却貯蔵庫上部の縦断正面図である。
【図５】冷却箱の保持構造の分解斜視図である。
【図６】図５の部分拡大図である。
【図７】同じく図５の部分拡大図である。
【図８】冷気ダクトパネルを含む分解斜視図である。
【図９】冷却貯蔵庫上部の部分拡大断面図である。
【図１０】同じく冷却貯蔵庫上部の部分拡大断面図である。
【図１１】冷気ダクトパネルの底面図である。
【図１２】冷却貯蔵庫上部の縦断背面図である。
【図１３】隠蔽板の斜視図である。
【図１４】隠蔽板の取付を説明する冷却貯蔵庫上部の縦断正面図である。
【図１５】隠蔽板の取付を説明する冷気ダクトパネルの斜視図である。
【図１６】隠蔽板の取付を説明する冷気ダクトパネルの斜視図である。
【図１７】隠蔽板の取付を説明する冷気ダクトパネルの斜視図である。
【図１８】仕切板の断面図である。
【符号の説明】
Ｒ  冷却装置
１  冷却貯蔵庫
２  断熱箱体
２Ａ  天壁
３  貯蔵室
６  開口
１２  冷却箱
１４  冷却器
１５  冷却器用送風機
２１  冷気ダクトパネル
３２  ドレンパン
３３  送風機固定部
４０  支柱
４０Ａ  フランジ
４０Ｂ  取付部
４１  上部支持具
４２  下部取付具
４２Ａ  係合スリット
４２Ｂ  ネジ孔
４３  ダクト固定具
４３Ａ  傾斜部
４３Ｂ  係合部
４３Ｃ  ネジ孔
４４  センサ取付部
４５  温度センサ
４６  復帰温度センサ
４７  取付具
【図１】
0003973358.tif 000002
【図２】
0003973358.tif 000003
【図３】
0003973358.tif 000004
【図４】
0003973358.tif 000005
【図５】
0003973358.tif 000006
【図６】
0003973358.tif 000007
【図７】
0003973358.tif 000008
【図８】
0003973358.tif 000009
【図９】
0003973358.tif 000010
【図１０】
0003973358.tif 000011
【図１１】
0003973358.tif 000012
【図１２】
0003973358.tif 000013
【図１３】
0003973358.tif 000014
【図１４】
0003973358.tif 000015
【図１５】
0003973358.tif 000016
【図１６】
0003973358.tif 000017
【図１７】
0003973358.tif 000018
【図１８】
0003973358.tif 000019